(57)【要約】【課題】認証装置の利便性を向上し電池消耗を抑える。【解決手段】認証モード中において本体側装置１０２から送信される認証要求信号の応答が受信できない場合、時間Ｔごとに再送をＮ−１回行い、Ｎ回目のタイミングでワイヤレスキー１０３は、認証通信キャリアセンスに加えてサーチ通信キャリアセンスを行う。本体側装置１０２が認証要求信号の通信確立不可でサーチモードに移行しても、サーチ要求信号の通信確立を図り、速やかに認証モードへ戻ることができるので、サーチ要求信号を送信し続けることによる電池消耗を抑制できる。また任意通信可能な同期タイミングで再送、サーチ受信するので、再送制御の為キャリアセンスを設けることなく、利便性を向上させる。【選択図】図３
2008152604.tif 000002
【特許請求の範囲】
【請求項１】
ワイヤレスキーと本体側装置とが定期的または不定期的に無線の送受信を行うことによりお互いの存在を確認しあい、前記ワイヤレスキーと前記本体側装置とが所定の通信範囲を超えた場合に前記本体側装置の機能を制限したり或いは警報を発生する認証装置であって、
前記ワイヤレスキーと前記本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲内にあり、かつ前記本体側装置が登録された前記ワイヤレスキーであるかを認証する認証通信を行う認証モードとを備え、
前記ワイヤレスキーは、前記本体側装置からの、前記認証モードの通信チャンネルをキャリアセンスする認証通信キャリアセンス手段と、前記サーチモードの通信チャンネルをキャリアセンスするサーチ通信キャリアセンス手段とを備えて、
前記認証モード中において予め双方で同期された時間Ｔごとに前記認証通信キャリアセンス手段でＮ−１回の認証通信キャリアセンスした後、最後のＮ回目には、前記認証通信キャリアセンス手段による認証通信キャリアセンス、および、前記サーチ通信キャリアセンス手段によるサーチ通信キャリアセンスを行う認証装置。
【請求項２】
最後のN回目は、まず認証通信キャリアセンスをした後、次にサーチ通信キャリアセンスを行う請求項１に記載の認証装置。
【請求項３】
ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証方法であって、前記ワイヤレスキーと前記本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲内にあり、かつ前記本体側装置が登録された前記ワイヤレスキーであるかを認証する認証通信を行う認証モードとを備え、
前記認証モード中において予め双方で同期された時間ＴごとにＮ−１回の認証通信をキャリアセンスするステップと、最後のＮ回目には、認証通信のキャリアセンス、およびサーチ通信のキャリアセンスを行うステップと、を備えた認証方法。
【請求項４】
請求項１または２のいずれか１項記載の認証装置の少なくとも一部をコンピュータに実現させるためのプログラム。
【発明の詳細な説明】
【技術分野】
【０００１】
本発明は、ワイヤレスキーと本体側装置とで定期的或いは不定期的に無線の送受信を行うことによりお互いの存在を確認しあい、ワイヤレスキーと本体側装置が所定の通信範囲を超えた場合に本体側装置の機能を制限したり或いは警報を発生させる認証装置及びプログラムに関するものである。
【背景技術】
【０００２】
近年、セキュリティを考慮しながら携帯電話、あるいはパソコンをはじめとする電子機器の操作ロックを、ワイヤレスで制御するようにしたセキュリティシステムが実用化されてきている。
【０００３】
このようなセキュリティシステムの一形態として、携帯電話の盗難を防止するために、携帯電話の利用者が、カード形態の識別信号送信機を所持し、前記の携帯電話と識別信号送信機との間で予め定めた識別コードを相互に通信し、双方で識別コードを確認できた時に前記携帯電話の使用を可能とするものがある（例えば特許文献１参照）。
【０００４】
このようなワイヤレスによる双方向通信システムの特許文献１では、電子機器等の本体側に搭載された機器（以降、本体側装置と称する）において、携帯側装置（以降、ワイヤレスキーと称する）から定期的に発せられる信号を検知する動作を継続して行わせる構成であった。
【０００５】
そして、サーチモード、認証モード、サーチモードから認証モードに移行する中間段階である初期認証モード、という３つのモードを有し、認証モードにおいて電子機器の操作を可能とする構成、サーチモードにおいては電子機器の操作を制限する構成が示されている。サーチモードと認証モードの識別は電波強度によって行われる。
【０００６】
例えば、電波強度が強い（ワイヤレスキーを持った利用者との距離が近い）ときは認証モードとして電子機器が使用可能とし、電波強度が弱い（距離が遠い）ときにはサーチモードとして電子機器を使用制限する。
【特許文献１】特開２００４−１４３８０６号公報
【発明の開示】
【発明が解決しようとする課題】
【０００７】
しかしながら、前記従来の構成では、認証モードでワイヤレスキーから本体側装置へ送信される認証通信の要求信号が本体側装置で受信され、その応答信号をワイヤレスキーへ送信するがノイズや電界強度が弱い場合に届かないことがある。
【０００８】
その場合、通常はワイヤレスキーは応答信号を受信できないので認証通信の要求信号を所定回数再送し、それでも応答信号を受信できない場合、ワイヤレスキーはサーチモードへ移行する。
【０００９】
しかし認証モードを維持する為に行う認証通信の通信間隔が、例えば３０秒のとき、認証通信は３０秒ごとに行われ、ワイヤレスキーが本体側装置の応答信号を受信できない為に認証通信が確立しない時（再送を含めて）、ワイヤレスキーは認証モードからサーチモードへ移行する。
【００１０】
しかしながら、本体側装置は認証通信の要求信号を受信できているので認証モードが継
続する。そして次回３０秒後の認証通信のタイミングでワイヤレスキーから本体側装置へ認証通信の要求信号が受信できないので、この時に本体側装置はサーチモードへ移行する。すなわち、３０秒弱のモードのずれが発生してしまい、認証装置としての利便性が悪い。
【００１１】
また通常電池容量の小さい電池で駆動されるワイヤレスキーからサーチ通信の要求信号を送信するので、サーチモードでの使用時間が長い場合、ワイヤレスキーの電池消耗が大きくて電池交換頻度が多くなるので、利用者の利便性が悪い。
【００１２】
本発明は、前記従来の課題を解決するもので、本体側装置側からワイヤレスキーに対してサーチ通信、認証通信の要求信号を送信するように構成すると共に、認証モード中にノイズの影響や電界強度が弱く、ワイヤレスキーの応答信号が受信できないために認証通信が確立しない状況が発生した場合でも、双方のモードを速やかに同期させ、サーチモードの時間が続くことによる消費電力増加を防止し、かつ多目的な利用を可能とする認証装置、認証方法およびプログラムを提供することを目的とする。
【課題を解決するための手段】
【００１３】
前記従来の課題を解決するために、本発明は、ワイヤレスキーと本体側装置とが定期的または不定期的に無線の送受信を行うことによりお互いの存在を確認しあい、前記ワイヤレスキーと前記本体側装置とが所定の通信範囲を超えた場合に前記本体側装置の機能を制限したり或いは警報を発生する認証装置であって、前記ワイヤレスキーと前記本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲内にあり、かつ前記本体側装置が登録された前記ワイヤレスキーであるかを認証する認証通信を行う認証モードとを備え、前記ワイヤレスキーは、前記本体側装置からの、前記認証モードの通信チャンネルをキャリアセンスする認証通信キャリアセンス手段と、前記サーチモードの通信チャンネルをキャリアセンスするサーチ通信キャリアセンス手段とを備えて、前記認証モード中において予め双方で同期された時間Ｔごとに前記認証通信キャリアセンス手段でＮ−１回の認証通信キャリアセンスした後、最後のＮ回目には、認証通信キャリアセンス手段による認証通信キャリアセンス、および、前記サーチ通信キャリアセンス手段によるサーチ通信キャリアセンスを行う認証装置を構成したものである。
【００１４】
そして本体側装置から時間Ｔ１間隔で送信する認証通信の要求信号がワイヤレスキーに受信され、その応答信号がノイズや電界強度の弱く受信できずに認証確立できない場合、たとえば、ワイヤレスキーはＴ１区間の任意通信のタイミングの時間Ｔ２（Ｔ２＜Ｔ１）ごとにＮ−１回の認証通信のチャンネルのキャリアセンスを行い、最後のＮ回目には認証通信のチャンネルに加えてサーチ通信のチャンネルのキャリアセンスを行うことによって、本体側装置のみサーチモードへ移行している時に本体側装置から送信されるサーチ通信のチャンネルの電波を受信できるようになる。双方が通信可能距離にある場合は、次回の認証通信のタイミング（Ｔ１時間後）を待たずにサーチモードへの移行を同期させ、速やかにサーチ通信を確立し、認証モードに移行させるようにし、消費電力の多いサーチモードの時間を短くする。
【００１５】
加えて本体側装置からサーチ通信の要求信号を送信するので、通常電力容量の小さい電池を搭載するワイヤレスキーの消費電力を低減しワイヤレスキーの電池交換の頻度を少なくし利便性を向上させる。
【００１６】
また認証通信のチャンネルのキャリアセンス、及び認証通信のチャンネルのキャリアセンス＋サーチ通信のチャンネルのキャリアセンスの同期通信タイミングを時間Ｔとして、
認証通信のタイミングの区間の中で一定時間にすることで、認証通信の要求信号の再送を行ったり、他の目的の通信信号（例えば、メール着信情報など）を送信させたり、多目的に同期タイミングが利用できるようになる。また認証通信の再送通信のタイミングを個別に設けることで、双方の送信、受信タイミングが増えることによる電流増加を抑制し、小電力な認証装置にできるようになる。
【発明の効果】
【００１７】
本発明により、認証通信が確立せず本体側装置がサーチモードに移行した場合でも速やかにワイヤレスキーもサーチモードに移行させモードを同期させるので、通信可能な距離にある場合は速やかにサーチ通信を確立させ認証モードへ移行させることで消費電力を抑制する効果がある。
【発明を実施するための最良の形態】
【００１８】
第１の発明は、ワイヤレスキーと本体側装置とが定期的または不定期的に無線の送受信を行うことによりお互いの存在を確認しあい、前記ワイヤレスキーと前記本体側装置とが所定の通信範囲を超えた場合に前記本体側装置の機能を制限したり或いは警報を発生する認証装置であって、前記ワイヤレスキーと前記本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲内にあり、かつ前記本体側装置が登録された前記ワイヤレスキーであるかを認証する認証通信を行う認証モードとを備え、前記ワイヤレスキーは、前記本体側装置からの、前記認証モードの通信チャンネルをキャリアセンスする認証通信キャリアセンス手段と、前記サーチモードの通信チャンネルをキャリアセンスするサーチ通信キャリアセンス手段とを備えて、前記認証モード中において予め双方で同期された時間Ｔごとに前記認証通信キャリアセンス手段でＮ−１回の認証通信キャリアセンスした後、最後のＮ回目には、認証通信キャリアセンス手段による認証通信キャリアセンス、および、前記サーチ通信キャリアセンス手段によるサーチ通信キャリアセンスを行う認証装置を構成したものである。
【００１９】
そして、認証モード中に本体側装置のサーチモードへの移行があった場合、予め双方で同期された時間Ｔごとに、Ｎ−１回の認証通信キャリアセンスした後、最後のＮ回目には認証通信キャリアセンスを行い、またサーチ通信チャンネルのサーチ通信キャリアセンスを行うので、お互いに通信可能な範囲にある場合には速やかにサーチ通信を確立させ認証モードに移行させるので、消費電力の多いサーチモードの時間を短くすることで、認証装置の消費電力を抑制できる。
【００２０】
加えて本体側装置からサーチ通信の要求信号を送信するので、通常電力容量の小さい電池を搭載するワイヤレスキーの消費電力を低減しワイヤレスキーの電池交換の頻度を少なくし利便性を向上させる。
【００２１】
さらに認証通信のチャンネルのキャリアセンス、及び認証通信のチャンネルのキャリアセンス＋サーチ通信のチャンネルのキャリアセンスの同期通信タイミングを時間Ｔとして、認証通信のタイミングの区間の中で一定時間にすることで、認証通信の要求信号の再送を行ったり、他の目的の通信信号（例えば、メール着信情報など）を送信させたり、多目的に同期タイミングが利用できるようになり、また認証通信の再送通信のタイミングを個別に設けることで、双方の送信、受信タイミングが増えることによる電流増加を抑制し、小電力な認証装置にできる。
【００２２】
第２の発明は、最後のＮ回目は、まず認証通信キャリアセンスをした後、次にサーチ通信キャリアセンスを行う認証装置を構成したものである。
【００２３】
そして、認証通信チャンネルのキャリアセンス、サーチ通信のキャリアセンスの順でキャリアセンスすることで、時間Ｔごとのタイミングで必ず認証通信チャンネルを待っているので、認証通信チャンネルを利用して任意通信を行いながら、Ｔ×Ｎ時間のタイミングでサーチ通信の信号を受信できる認証装置となるので、認証装置の利便性向上を図りつつ、消費電力を抑制する。
【００２４】
第３の発明は、ワイヤレスキーと本体側装置とが定期的または不定期的に無線の送受信を行うことによりお互いの存在を確認しあい、前記ワイヤレスキーと前記本体側装置が所定の通信範囲を超えた場合に前記本体側装置の機能を制限したり或いは警報を発生する認証方法であって、前記ワイヤレスキーと前記本体側装置が通信範囲外になった時、前記本体側装置が前記ワイヤレスキーの応答を受信するまで一定期間の間サーチ通信を送信し続けるサーチモードと、前記本体側装置が前記ワイヤレスキーとが所定の通信範囲内にあり、かつ前記本体側装置が登録された前記ワイヤレスキーであるかを認証する認証通信を行う認証モードとを備え、前記認証モード中において予め双方で同期された時間ＴごとにＮ−１回の認証通信をキャリアセンスするステップと、最後のＮ回目には、認証通信のキャリアセンス、およびサーチ通信のキャリアセンスを行うステップと、を備えた認証方法である。
【００２５】
そして、認証モード中に本体側装置のサーチモードへの移行があった場合、予め双方で同期された時間Ｔごとに、Ｎ−１回の認証通信キャリアセンスした後、最後のＮ回目には認証通信キャリアセンスを行い、またサーチ通信チャンネルのサーチ通信キャリアセンスを行うので、お互いに通信可能な範囲にある場合には速やかにサーチ通信を確立させ認証モードに移行させるので、消費電力の多いサーチモードの時間を短くすることで消費電力を抑制できる。
【００２６】
加えて本体側装置からサーチ通信の要求信号を送信するので、通常電力容量の小さい電池を搭載するワイヤレスキーの消費電力を低減しワイヤレスキーの電池交換の頻度を少なくし利便性を向上させる。
【００２７】
さらに認証通信のチャンネルのキャリアセンス、及び認証通信のチャンネルのキャリアセンス＋サーチ通信のチャンネルのキャリアセンスの同期通信タイミングを時間Ｔとして、認証通信のタイミングの区間の中で一定時間にすることで、認証通信の要求信号の再送を行ったり、他の目的の通信信号（例えば、メール着信情報など）を送信させたり、多目的に同期タイミングが利用できるようになり、また認証通信の再送通信のタイミングを個別に設けることで、双方の送信、受信タイミングが増えることによる電流増加を抑制し、小電力にできる。
【００２８】
第４の発明は、上記認証装置の少なくとも一部をコンピュータに実現させるためのプログラムである。そして、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２９】
以下、本発明の実施の形態について、図面を参照しながら説明する。なお、この実施の形態によって本発明が限定されるものではない。
【００３０】
（実施の形態１）
図１は本発明の実施の形態１における認証装置のブロック図を示すものである。
【００３１】
図１において携帯電話１０１は、本体側端末装置１０２である第１のアンテナ１、第１
の送受信手段２で構成されている。
【００３２】
ワイヤレスキー１０３は、第２のアンテナ３、第２の送受信手段４、認証通信キャリアセンス手段５、サーチ通信キャリアセンス手段６、受信情報判定手段７、応答手段８で構成されている。
【００３３】
本実施の形態では、本体側端末装置１０２は携帯電話１０１に組み込んだものを説明するが、ノートパソコンなどの電子機器に組み込んで使用することも可能である。ワイヤレスキー１０３と本体側装置１０２が認証装置を構成している。
【００３４】
本体側装置１０２とワイヤレスキー１０３の間の認証方法について図２を参照しながら説明する。
【００３５】
本体側装置１０２からは認証要求信号１１が短時間で送信される。ワイヤレスキー１０３は前記認証要求信号１１を受信すると認証応答信号１２を送信する。認証要求信号１１及び認証応答信号１２には識別信号が含まれており、前記識別符号を検出することによりお互いが紐付けされた相手であることを認証する。
【００３６】
例えば８秒ごとに本体側装置１０２から認証要求信号１１、１３と順次送信され、識別符号を検出・認証したときにワイヤレスキー１０３から応答１２、１４が返信される。この繰り返しによりお互いの認証が維持される。
【００３７】
このように認証要求信号に対して認証応答信号を返信しお互いが認証しあっている状態が認証モードであり、この認証モードの期間は本体側装置１０２が組み込まれた携帯電話１０１などの電子機器の機能制限、またはワイヤレスキー１０３からの警報は行わない。
【００３８】
認証要求信号１１、１３や認証応答信号１２、１４の送受信は図１の第一の送受信手段２や第二の送受信手段４で行われる。
【００３９】
第一の送受信手段２や第二の送受信手段４で認証要求信号１１、１３や認証応答信号１２、１４の電波を受信すると、図示していないが受信レベルを検出する。受信レベルが所定の受信レベルＡ以上であると判定すれば、認証モードを保持し前記の認証手順を繰り返す。
【００４０】
次にワイヤレスキー１０３と本体側装置１０２の間の距離が離れ、本体側装置１０２で検出する認証応答信号１２、１４の受信レベルが所定の受信レベルＡ以下になった場合について説明する。
【００４１】
図２において、本体側装置１０２からの認証要求信号１５の電波をワイヤレスキー１０３で受信できずに認証応答信号１６が返ってこない、或いは受信できたが認証応答信号１６が本体側装置１０２で受信できない時、本体側装置１０２はサーチモードに移行する。
【００４２】
サーチモードに移行すると、本体側装置１０２が実装されている携帯電話などの電子機器の機能制限行う。
【００４３】
ここで、機能制限とは例えば携帯電話の場合、キー操作を禁止することによりアドレス情報を見れないようにしたり、電子マネー機能を禁止したり、電話の発信を禁止したりすることにより、携帯電話の機能の一部或いは全てを使えなくすることである。
【００４４】
一方、ワイヤレスキー１０３は認証要求信号１５が受信できない場合、サーチモードに
移行する。そして図示していないが、ブザーを鳴らし置き忘れを報知する。受信できた場合は、認証モードを継続する。
【００４５】
サーチモードに移行すると、本体側装置１０２はサーチ要求信号を０．２秒ごとにサーチ要求信号１７、１８と送信し、４８時間を経過すると、ワイヤレスキー１０３は動作停止の状態になる。
【００４６】
次に図３を用いて、本体側装置１０２の認証要求信号１９に対する認証応答信号２０が本体側装置１０２で受信できない時の再送処理と、ワイヤレスキー１０３で行う［認証通信キャリアセンス＋サーチ通信キャリアセンス］処理の動作・作用について説明する。
【００４７】
図３は、本実施の形態１の認証要求信号１９に対する認証応答信号２０が受信できない場合、ワイヤレスキー１０３のキャリアセンス処理の動作を示したシーケンス図である。
【００４８】
通常、認証装置であるワイヤレスキー１０３と本体側装置１０２を備えた携帯電話の距離が離れると、本体側装置１０２からの認証要求信号（図２の１５）に対する応答電文は返ってこないためサーチモードへ移行する。この時、サーチ要求信号（図２の１７、１８）は、例えば０．２秒間隔で繰り返し送信して、ワイヤレスキー１０３からのサーチ応答信号を受信できるかを待っており、サーチ応答信号を受信できなければ、サーチ要求信号を一定時間、例えば４８時間送信し続ける。図示しないが、一定時間４８時間の中で、サーチ要求信号を送信する間隔は変更してもよい。
【００４９】
しかしながらワイヤレスキー１０３と本体側装置１０２の認証装置を保持した利用者が、混雑した街中や混み合った電車に乗車している場合など、周囲にノイズとなる同システムの認証装置を保持した別の利用者がいるとき、認証要求信号１９はワイヤレスキー１０３で受信できるが、別の利用者の使用している認証装置の電波がノイズとなり認証応答信号２０が妨害され本体側装置１０２で受信できない場合が発生する（同一電波帯４２６ＭＨｚ帯の同一チャンネルを使用している可能性があるため）。
【００５０】
本実施の形態１では電波のチャンネルは、サーチモードではチャンネル４（以下、ＣＨ４と示す）、認証モードではＣＨ１〜３をランダムに使用する。
【００５１】
利用者の認証装置が、認証モードでＣＨ１を使用して認証通信を行っている時、別の利用者の認証装置も同様にＣＨ１を使用し近接した場合、前述のように認証応答信号２０に妨害を与え、本体側装置１０２で認証応答信号２０を受信できないことがある。
【００５２】
その場合、本体側装置１０２は、認証応答信号２０が受信できないので、本体側装置１０２とワイヤレスキー１０３で、同期して送受信を行う次回のタイミングで、認証要求信号の再送を行う（図３の２１）。
【００５３】
認証モードの認証通信のタイミングは、本体側装置１０２とワイヤレスキー１０３が認証通信を行うＴ１＝８秒であり、８秒ごとに本体側装置１０２は認証要求信号をワイヤレスキー１０３に送信して認証処理を行い、送受信タイミングを同期している。
【００５４】
加えて認証要求信号１９を送信してからＴ２＝１秒ごとにワイヤレスキー１０３は、ＣＨ１で受信待ち受けをしている。
【００５５】
受信待ち受けとは、認証モードのチャンネル（本実施の形態の場合、ＣＨ１）のキャリアセンスである。この場合、ＣＨ１のキャリアセンスをＴ２＝１秒ごとに行い、本体側装置１０２から所望の電波が来ていないかを待ち受けしている（図３の２９、３０、３１）
。
【００５６】
Ｔ２＝１秒ごとのＣＨ１のキャリアセンスは、Ｔ１＝８秒ごとの認証要求信号の処理以外の任意要求信号を送受信する同期タイミングになっており、携帯電話１０１で提供する機能、例えばメール受信有のワイヤレスキー１０１への通知信号などをキャリアセンスし、キャリア有の場合は受信を行い、本体側装置１０２へ応答信号を送信する。
【００５７】
認証モード時のキャリアセンスは、ワイヤレスキー１０３の第二の送受信手段で受信され、認証通信キャリアセンス手段５で行われる。キャリア有の場合、受信した信号が第２の送受信手段４より受信情報判定手段７に渡され、信号の内容を判定する。信号の内容が判定されると、応答手段８で応答信号が作成され、第二の送受信手段４から本体側装置１０２に送信される。
【００５８】
本体側装置１０２は、認証要求信号２１、２３を最大２回再送し、Ｔ１＝８秒のタイミングで送信される認証要求信号１９の初送を含めて３回の認証要求を送信する。
【００５９】
３回とも認証応答信号２０、２２、２４が受信できない場合、本体側装置１０２はサーチモードへ移行する。この時、ワイヤレスキー１０３は認証要求信号１９、２１、２３のいずれかを受信しているので、認証モードが継続され、本体側装置１０２とモードのずれが生じる。
【００６０】
次に本体側装置１０２はサーチモードに移行すると、サーチ要求信号２５を１秒間隔で０．１秒間連続して送信する。本実施の形態１では、認証要求信号１９を送信したタイミングから、Ｔ２（１秒）×２回＝２秒、の次のタイミング（Ｔ２＝1秒後）に、本体側装置１０２がサーチモードに移行している可能性があるので、［認証通信キャリアセンス］＋［サーチ通信キャリアセンス］（図３の３２）を行う。
【００６１】
サーチモードのサーチ通信はＣＨ４を使用するので、サーチ通信キャリアセンスでは、ワイヤレスキー１０３のサーチ通信キャリアセンス手段５によりＣＨ４をキャリアセンスする。すなわち、認証要求信号１９を送信してから３秒後（Ｔ２×３回）には、認証モードの電波のＣＨ１、そしてサーチモードの電波のＣＨ４を受信する。
【００６２】
また、本体側装置１０２から任意要求信号が送信されてくる場合があるので、必ず認証要求信号の電波をキャリアセンスしてから、サーチ要求信号の電波をキャリアセンスするようにし、所望電波を受信するようにしている。
【００６３】
［認証通信キャリアセンス］＋［サーチ通信キャリアセンス］（図３の３２）のタイミングでサーチ要求信号２５をキャリアセンスし受信した場合、ワイヤレスキー１０３はサーチ応答信号２６を返し、サーチモードから、中間段階の初期認証モード（図示せず）に移行する。さらに初期認証の確認が行われると、認証モードへ戻る。そして、認証モードに戻ると、本体側装置１０２からワイヤレスキー１０３に対して、認証要求信号が送信され、認証応答信号を受信すると認証モードを継続する。
【００６４】
なお、本実施の形態の認証要求信号の間隔Ｔ１＝8秒、任意要求信号の間隔Ｔ２＝１秒、サーチ要求信号の送信間隔などは一例でありこれに限定されるものではない。
【００６５】
なお、本実施の形態１において携帯電話１０１に本体側装置１０２を備えた認証装置を説明したが、携帯電話でなくてもよくノートＰＣやその他の電子機器でも同様の効果がある。
【００６６】
また、認証装置の利用している電波帯として、特定小電力無線帯４２６MHｚを用いて説明したが、電波の周波数帯には依存しない。
【００６７】
このように構成すれば、認証モード中に認証要求が確立せず、本体側装置のサーチモードへの移行があった場合、予め双方で同期された時間Ｔごとに、Ｎ−１回の認証通信キャリアセンスした後、最後のＮ回目には認証通信キャリアセンスに加えてサーチ通信チャンネルのサーチ通信キャリアセンスを行うので、お互いに通信可能な範囲にある場合には速やかにサーチ通信を確立させ認証モードに移行させるので、消費電力の多いサーチモードの時間を短くすることで、認証装置の消費電力を抑制できる。
【００６８】
加えて本体側装置からサーチ通信の要求信号を送信するので、通常電力容量の小さい電池を搭載するワイヤレスキーの消費電力を低減しワイヤレスキーの電池交換の頻度を少なくし利便性を向上させる。
【００６９】
さらに認証通信のチャンネルのキャリアセンス、及び認証通信のチャンネルのキャリアセンス＋サーチ通信のチャンネルのキャリアセンスの同期通信タイミングを時間Ｔとして、認証通信のタイミングの区間の中で一定時間にすることで、認証通信の要求信号の再送を行ったり、他の目的の通信信号（例えば、メール着信情報など）を送信させたり、多目的に同期タイミングが利用できるようになり、また認証通信の再送通信のタイミングを個別に設けることで、双方の送信、受信タイミングが増えることによる電流増加を抑制し、小電力な認証装置にできる。
【００７０】
また認証通信チャンネルのキャリアセンス、サーチ通信のキャリアセンスの順でキャリアセンスすることで、時間Ｔごとのタイミングで必ず認証通信チャンネルを待っているので、認証通信チャンネルを利用して任意通信を行う利便性を確保しつつ、Ｔ×Ｎ時間のタイミングでサーチ通信の信号を受信できる認証装置となるので、認証装置の利便性向上と消費電力を抑制を両立する。
【００７１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００７２】
本発明によれば、ワイヤレスキーと同期通信していないサーチモード、認証され同期通信している認証モードを備える、ワイヤレスキーを用いたセキュリティシステムに利用できる。また、携帯電話に限らず、パソコンやＰＤＡなどでも利用することができる。
【図面の簡単な説明】
【００７３】
【図１】本発明の実施の形態１における認証装置のブロック図
【図２】本発明の実施の形態１における認証装置の通信シーケンスを説明する図
【図３】本発明の実施の形態１における認証装置の通信シーケンスを説明する図
【符号の説明】
【００７４】
２  第一の送受信手段
４  第二の送受信手段
５  認証通信キャリアセンス手段
６  サーチ通信キャリアセンス手段
１０１  携帯電話
１０２  本体側装置
１０３  ワイヤレスキー
【図１】
2008152604.tif 000003
【図２】
2008152604.tif 000004
【図３】
2008152604.tif 000005